(57)【要約】  本発明は、車両の発進プロセスを制御する方法に関し、少なくともａ）制御シーケンスＲを作動して、制御シーケンス信号ＳＲをセットする工程と、ｂ）最大エンジン駆動モーメントＭ４＿ｍａｘを定義する工程と、ｃ）発進プロセスに関する走行要求を検知した場合に、ｃ１）制御シーケンスが停止している場合に規定される標準的なクラッチ接続プロセス時間長よりも長いクラッチ接続プロセス時間長によりクラッチ・変速機ユニットを駆動する工程と、ｃ２）駆動される車輪の車輪速度を検出して、少なくとも被動軸に対する出力駆動モーメントを設定することにより、駆動される車輪の車輪スリップを制御する工程と、ｃ３）車輪スリップと走行速度ｖに応じて、最大エンジン駆動モーメントＭ４＿ｍａｘを改めて定義する工程と、ｄ）限界値μ＿ｔｒｅｓ，ｖ＿ｔｒｅｓに到達した場合に、制御シーケンスＲを停止して、制御シーケンス信号ＳＲをリセットする工程とを有する。
2021504226.tif 000002
【特許請求の範囲】
【請求項１】
車両（１）の発進プロセスを制御する方法において、少なくとも、
ａ）制御シーケンス（Ｒ）を作動して、制御シーケンス信号（ＳＲ）をセットする工程と、
ｂ）最大エンジン駆動モーメント（Ｍ４＿ｍａｘ）を定義する工程と、
ｃ）発進プロセスに関する走行要求を検知した場合に、
ｃ１）制御シーケンスが停止している場合に規定される標準的なクラッチ接続プロセス時間長（ｔｃｓ）よりも長いクラッチ接続プロセス時間長（ｔｃ）によってクラッチ・変速機ユニット（６）を駆動する工程と、
ｃ２）駆動される車輪（４ａ，４ｂ）の車輪速度（ｎ４ａ，ｎ４ｂ）を検出して、少なくとも被動軸（９）に対する出力駆動モーメント（Ｍ９）を設定することにより、駆動される車輪（４ａ，４ｂ）の車輪スリップ（ｍｓ）を制御する工程と、
ｃ３）車輪スリップ（ｍｓ）と走行速度（ｖ）に応じて、最大エンジン駆動モーメント（Ｍ４＿ｍａｘ）を改めて定義する工程と、
ｄ）限界値（μ＿ｔｒｅｓ，ｖ＿ｔｒｅｓ）に到達した場合に、制御シーケンス（Ｒ）を停止して、制御シーケンス信号（ＳＲ）をリセットする工程と、
を有する方法。
【請求項２】
前記の駆動される車輪（４ａ，４ｂ）の車輪速度（ｎ４ａ，ｎ４ｂ）と駆動されない車輪（３）の車輪速度（ｎ３）の測定及び駆動モーメント（９）の設定による駆動される車輪（４ａ，４ｂ）の車輪スリップ（ｍｓ）の制御が、少なくとも１つのクラッチ・変速機ユニット（６）を駆動する工程（Ｓｔ４）を有することを特徴とする請求項１に記載の方法。
【請求項３】
前記のクラッチ・変速機ユニット（６）を駆動する場合に、出力駆動モーメント（Ｍ９）を設定するために、特に、時間（ｔ）又は駆動される車輪（４ａ，４ｂ）の車輪速度（ｎ４）に応じたランプ関数に基づき、クラッチ（６ａ）が投入されることを特徴とする請求項２に記載の方法。
【請求項４】
前記の制御シーケンス（Ｒ）の作動後に、クラッチ・変速機ユニット（６）がクラッチ（６ａ）を解除することを特徴とする請求項１から３までのいずれか一つに記載の方法。
【請求項５】
前記の車輪スリップ（ｍｓ）の制御の前に、
ａ１）車両（１）の駆動される車輪（４ａ，４ｂ）の車輪ブレーキ（１４ａ，１４ｂ）に制御シーケンス用ブレーキ圧（ＰＲ）を加える工程が規定されるとともに、
前記の駆動される車輪の車輪スリップ（ｍｓ）を制御する工程ｃ２）の後に、
ｃ２ａ）駆動される車輪（４ａ，４ｂ）の車輪ブレーキ（１４ａ，１４ｂ）に対するブレーキ圧（Ｐ）を低減する工程が規定される、
ことを特徴とする請求項１から４までのいずれか一つに記載の方法。
【請求項６】
前記の駆動される車輪（４ａ，４ｂ）の車輪ブレーキ（１４ａ，１４ｂ）に制御シーケンス用ブレーキ圧（ＰＲ）を加える前に、駆動される車輪（４ａ，４ｂ）が停止状態となるように、ブレーキ圧（Ｐ）が増大されることを特徴とする請求項１から５までのいずれか一つに記載の方法。
【請求項７】
工程ｃ２）において、被動軸（９）に対する出力駆動モーメント（Ｍ９）の設定が、少なくとも１つのクラッチ・変速機ユニット（６）の駆動によって行なわれることを特徴とする請求項１から６までのいずれか一つに記載の方法。
【請求項８】
前記の出力駆動モーメント（Ｍ９）の設定により車輪スリップ（ｍｓ）を制御する場合に、クラッチ・変速機ユニット（６）に加えて、エンジン（５）が駆動されることを特徴とする請求項１から７までのいずれか一つに記載の方法。
【請求項９】
前記の出力駆動モーメント（Ｍ９）の設定により車輪スリップ（ｍｓ）を制御する場合に、クラッチ・変速機ユニット（６）に加えて、駆動される車輪（４ａ，４ｂ）のブレーキ圧（Ｐ）が制御されることを特徴とする請求項１から８までのいずれか一つに記載の方法。
【請求項１０】
前記の駆動される車輪（４ａ，４ｂ）のブレーキ圧（Ｐ４ａ，Ｐ４ｂ）の制御が、特にブレーキ圧（Ｐ４ａ，Ｐ４ｂ）の低減が、時間（ｔ）又は車輪速度（ｎ４ａ，ｎ４ｂ）に応じて実行されることを特徴とする請求項９に記載の方法。
【請求項１１】
第一の駆動される車輪（４ａ）において、より大きなスリップ（ｍｓ）を検出した場合に、同じ車軸の他方の駆動される車輪（４ｂ）におけるブレーキ圧（Ｐ）が低下されることを特徴とする請求項１から１０までのいずれか一つに記載の方法。
【請求項１２】
前記の制御シーケンス（Ｒ）の作動が、例えば、操作機器（１８）の操作によって、運転者により作動信号（Ｓ２）が入力された場合に実行されることを特徴とする請求項１から１１までのいずれか一つに記載の方法。
【請求項１３】
前記の制御シーケンス（Ｒ）の作動が、検出された車両状態データに応じた判定基準（Ｋ１）、例えば、
発進プロセスに関する運転者要求が出現することと、
車輪スリップ（ｍｓ）が、定義された車輪スリップ限界値（ｍｓ＿ｍａｘ）よりも大きいことと、
粘着係数（μ）が小さいことと、
から成るグループの中の一つ又は複数が満たされた場合に実行されることを特徴とする請求項１から１２までのいずれか一つに記載の方法。
【請求項１４】
走行路（２）に伝達可能な駆動力（Ｆａ）が、最も時間的に近い制動プロセスのスリップ（ｍｓ）又は最も時間的に近い制動・加速プロセスのスリップ（ｍｓ）に基づき算出されることを特徴とする請求項１３に記載の方法。
【請求項１５】
前記の発進プロセスを制御する工程ｃ２）において、最大粘着係数（μ＿ｔｒｅｓ）を生じさせるスリップ（ｍｓ）を設定するために、保存された粘着係数対スリップ曲線が用いられることを特徴とする請求項１から１４までのいずれか一つに記載の方法。
【請求項１６】
前記の最大駆動モーメント（Ｍ４＿ｍａｘ）を定義する工程ｂ）及び／又は最大駆動モーメント（Ｍ４＿ｍａｘ）を改めて定義する工程ｃ３）において、駆動される車輪（４ａ，４ｂ）の軸荷重データを用いるとともに、駆動軸（Ｈａ）に既知の駆動モーメントを投入した場合に発生するスリップ（ｍｓ）を検出することによって、駆動される車輪（４ａ，４ｂ）と走行路（２）の間の粘着係数（μ）が算出されることを特徴とする請求項１から１５までのいずれか一つに記載の方法。
【請求項１７】
前記の制御シーケンス信号（ＳＲ）をセットする場合の限界値（μ＿ｔｒｅｓ，ｖ＿ｔｒｅｓ）が制御シーケンス信号（ＳＲ）をセットしない場合の限界値よりも小さいことを特徴とする請求項１から１６までのいずれか一つに記載の方法。
【請求項１８】
制御シーケンス（Ｒ）を停止して、制御シーケンス信号（ＳＲ）をリセットするための限界値（μ＿ｔｒｅｓ，ｖ＿ｔｒｅｓ）が限界粘着係数（μ＿ｔｒｅｓ）及び／又は限界走行速度（ｖ＿ｔｒｅｓ）であることを特徴とする請求項１から１７までのいずれか一つに記載の方法。
【請求項１９】
車両（１）、特に、商用車（１）の発進プロセスを開ループ制御又は閉ループ制御するための走行ダイナミックシステム（７）において、
車両（１）の駆動される車輪（４ａ，４ｂ）の車輪速度信号（ｎ４ａ，ｎ４ｂ）を出力する車輪回転数センサー（１５ａ，１５ｂ）と、
アクセルペダル信号（Ｓ３）と車輪速度信号（ｎ４ａ，ｎ４ｂ）を受信して、車両（１）の駆動ユニット（５，６）に要求信号（Ｓ４，Ｓ５）を出力する走行ダイナミック制御機器（１６）であって、少なくとも前記の工程ａ），ｃ），ｃ１），ｃ２），ｃ３），ｄ）を実行するように構成された走行ダイナミック制御機器（１６）と、
を有する走行ダイナミックシステム。
【請求項２０】
前記の走行ダイナミック制御機器（１６）が、変速機制御機器（１１）への変速機制御要求信号（Ｓ４）の出力及び／又はエンジン制御ユニット（１０）へのエンジンモーメント要求信号（Ｓ５）の出力を実行するように構成されていることを特徴とする請求項１９に記載の走行ダイナミックシステム（７）。
【請求項２１】
前記の走行ダイナミック制御機器（１６）が、ブレーキ制御機器（１２）にＡＴＣ要求信号（Ｓ６）を出力するように構成されていることを特徴とする請求項１９又は２０に記載の走行ダイナミックシステム（７）。
【請求項２２】
駆動される車輪（４ａ，４ｂ）の車輪ブレーキ（１４ａ，１４ｂ）が常用ブレーキの一部及び／又は駐車ブレーキであることを特徴とする請求項１９から２１までのいずれか一つに記載の走行ダイナミックシステム（７）。
【請求項２３】
前記の車輪回転数センサー（１５ａ，１５ｂ）が能動的な車輪回転数センサー（１５ａ，１５ｂ）であることを特徴とする請求項１９から２２までのいずれか一つに記載の走行ダイナミックシステム（７）。
【発明の詳細な説明】
【技術分野】
【０００１】
本発明は、車両の発進プロセスを制御する方法及び走行ダイナミックシステムに関する。
【背景技術】
【０００２】
発進プロセスは、特に、摩擦係数が小さい走行路において問題となる。即ち、氷や雪などの不利な天候条件では、車両を慎重に発進しても、早い時点で駆動軸の車輪に大きなスリップが発生する。
【０００３】
それでも、車輪の回転時に安全な発進プロセスを実現可能にするために、駆動される車輪のスリップを測定して、そのスリップに応じた車輪の制動及び／又はエンジン出力の低減を行なって、スリップを抑制するトラクションスリップ制御システム（ＡＳＲ，ＡＴＣ）が周知である。
【０００４】
更に、そのために個々の車輪への駆動モーメントの配分に介入するディファレンシャルロックが周知である。
【０００５】
しかし、周知のトラクションスリップ制御システムによって、発進プロセス時の全ての問題が解決されるわけではなく、特に、粘着係数が小さい場合、更に不安定性又はトラクション低下が発生する可能性が有ることが分かった。
【０００６】
即ち、周知のシステムでは、雪や氷を土台とした場合に、それを融解させる車輪回転数に到達した場合に制御介入が行なわれ、そのことは、水の膜を生じさせるために、粘着係数の更なる低下を引き起こすこととなる。
【０００７】
更に、周知のシステムは、粘着係数が小さい場合に運転者の要求に反して低下させた駆動モーメントを駆動輪に伝えて、過剰なスリップを事前に防止する予防措置を講じていない。
【０００８】
特許文献１は、測定した車輪速度の代わりに、測定した車両加速度に基づき車輪速度を検出するトラクション制御システムを記載している。長く持続し過ぎる加速度が検出された場合、エンジンモーメントが低減される。
【０００９】
特許文献２により、自動車の駆動輪におけるスリップを低減するためのエンジン回転数制御及びアンチスリップ制御方法が周知である。その場合、所定のスリップ条件を低減させるために、低下したエンジン出力モーメントに応じてイグニッションタイミングを時間的に遅らせている。
【００１０】
特許文献３は、車輪スリップ制御システムが発生する信号に基づき変速機におけるクラッチ連結を制御する、車輪スリップ制御システムと自動変速機を備えた自動車の駆動系統を制御する方法を記載しており、その信号は、車両の車輪と道路表面の間の摩擦係数及び／又は実際のエンジン回転数を表す。
【００１１】
特許文献４は、運転者の制動指令と関係無く車両の車輪にブレーキ圧を供給するために、動的な車両状態の出現を決定して、走行する車両の車輪にブレーキ圧を供給する方法を提示している。
【００１２】
その場合、ブレーキ圧を駆動輪に選択的に供給するために、電子制御ユニットによって制御される調整器が二重ブレーキ弁と駆動輪の間に配備されている。
【先行技術文献】
【特許文献】
【００１３】
【特許文献１】米国特許第６１８２００２号明細書
【特許文献２】ドイツ特許公開第６９５０７４０５号明細書
【特許文献３】欧州特許第１１２５７８３号明細書
【特許文献４】欧州特許第１７３０００６号明細書
【発明の概要】
【発明が解決しようとする課題】
【００１４】
以上のことから、本発明の課題は、特に、粘着係数が小さい場合に、良好な牽引力と共に安全な発進プロセスを実現可能とするように、車両の発進プロセスを制御する方法及び走行ダイナミックシステムを改善構成することである。
【課題を解決するための手段】
【００１５】
この課題は、独立請求項に基づく方法及び走行ダイナミックシステムによって解決される。従属請求項は、有利な改善構成を記載している。
【００１６】
本発明による走行ダイナミックシステムは、特に、本発明による方法を実行するものと規定される。更に、本発明による方法は、特に、本発明による走行ダイナミックシステムを採用又は使用するものと規定される。
【００１７】
本発明は、第一のスリップ又は不安定性の発生前に、事前に緩やかな発進プロセスを設定するとの考えに基づいている。そのために、特に、車両を発進させるのに十分であると同時に、車輪に特記すべきスリップを引き起こさないエンジンモーメントを決定する。このエンジンモーメントの決定時に、特に、車両の重量、走行路の勾配、駆動系統における摩擦損失、要求される車両加速度などの要素を含めることができる。
【００１８】
有利には、本発明による方法によって、駆動輪から走行路に伝達される駆動力が制限されて、有利には、スリップが、周知のトラクションスリップ制御システムの場合よりも小さい値に制御される。
【００１９】
有利な実行構成では、クラッチ制御の取り込みが行なわれる。それは、エンジン制御のために計算された最大駆動モーメントにも関連し、それに応じてクラッチ接続プロセス中にクラッチ連結モーメントを制限して、それにより、駆動輪における過剰なスリップの防止を支援している。
【００２０】
更に、有利な改善構成では、ブレーキ圧を駆動又は制御することができる。即ち、発進時に、先ずは車輪ブレーキを投入した後、閉ループ制御又は開ループ制御の形態により解除することができる。この場合、駆動輪の車輪ブレーキにおいて、制御シーケンス用ブレーキ圧を設定することができる。有利な実行構成では、制御シーケンスの作動前にスリップしていることを示す車輪が停止状態にまで制動される。
【００２１】
車輪のスリップの検出は、車輪速度の測定によって行なわれる。有利には、例えば、一回転未満の車輪の回転時においても、能動的な車輪回転数センサーを用いた測定が規定される。しかし、車輪速度として、例えば、駆動輪の車輪回転数を受動的な車輪回転数センサーによって測定することもできる。
【００２２】
制御シーケンス用ブレーキ圧を設定する実行構成では、そのブレーキ圧は、発進プロセスの期間中、最初は維持し続けられる。それによって、最大粘着係数を発生させた後、粘着係数を大きく低下させるスリップを上回った場合に、制御がスリップを再び低減させる前に車輪速度の速い上昇が起こることが防止される。そのため、駆動輪の駆動力とスリップのより高い制御品質が実現される。有利には、発進プロセスの期間中、制御シーケンス用ブレーキ圧が緩慢に低減される。
【００２３】
そのため、車輪スリップに応じた粘着係数又は伝達可能な力を記述する粘着係数対スリップ曲線において、有利には、最大値を上回ってしまうのではなく、適合した、有利には、最適な粘着係数での発進プロセスが設定される。従って、従来のＡＳＲ又はＡＴＣと比べて、緩慢な発進プロセスが設定されるが、それは、高い安定性と良好な牽引力により行なわれる。従来のＡＳＲ制御、小さい粘着係数及び遅い車両速度では、場合によっては、スリップが速く上昇し過ぎた場合に、静止摩擦又は回転摩擦が滑り摩擦に移行する可能性が有る。
【００２４】
走行路の粘着係数（摩擦係数）は、最も時間的に近い制動プロセス又は最も時間的に近い制動・加速プロセスに基づき、或いは、それに代わって、実際の発進プロセス時に発生するスリップに基づき検出するか、さもなければ、小さい値として推定することができる。被動軸又は車両の駆動輪において、小さい駆動モーメントが設定され、そのために、エンジンモーメント及び／又はクラッチ・変速機ユニットが、有利には、ランプ形誘導又はランプ関数を可能にする関数の曲線に基づき、例えば、時間又は駆動輪の車輪速度に応じて駆動される。
【００２５】
発進プロセス時に、制御シーケンスの停止時に規定される標準的なクラッチ接続プロセス時間長よりも長いクラッチ接続プロセス時間長によるクラッチ・変速機ユニットの駆動が行なわれ、更に、この標準的なクラッチ接続プロセス時間長は、固定的に規定するか、さもなければ、例えば、学習するか、或いは先行して実行したクラッチ接続プロセスから学習することもできる。
【００２６】
粘着係数の決定は、特に、本発明による発進プロセスを制御する方法の自動的又は自律的な作動も可能にする。
【００２７】
例えば、限界走行速度及び／又は限界粘着係数の限界値に到達した場合に、場合によっては、限界スリップに応じても、制御シーケンスが終了されて、制御シーケンス信号がリセットされ、その結果、発進プロセスの制御シーケンスの後に、例えば、通常のトラクションスリップ制御が実行される。
【００２８】
そのため、この発進プロセスを制御する方法は、トラクションスリップ制御方法に統合するか、或いは第一の工程として、その制御方法に前置又は取り込むことができる。
【００２９】
更に、例えば、前後方向加速度センサー及び／又は地図素材によって検出される検出走行路勾配を走行状態データに取り込むことができる。そのため、発進プロセス制御の第一の工程において検出された駆動モーメント及び／又はブレーキ圧が、走行路勾配及び／又は検出された、或いは既知の車両重量を考慮して実現される。
【００３０】
制御シーケンスの作動は、様々な実行構成に基づき、運転者による作動によって、即ち、運転者が、例えば、作動手段を操作し、それにより目的通り緩やか発進プロセスを選択した場合に開始することができる。それに加えて、或いはそれに代わって、そのような車両状態又は走行路状態を検出した場合にも、そのことを選択することができ、そのために、例えば、検出された粘着係数（摩擦係数）、車両重量、走行路勾配が取り入れられる。
【００３１】
制御シーケンスが作動している場合、車両重量又は駆動軸の荷重と、土台に対して検出又は仮定されたタイヤの粘着係数と、走行路勾配とに応じて、制御シーケンスの停止時における最大エンジン駆動モーメントよりも小さい最大エンジン駆動モーメントが定義される。
【００３２】
更に、制御シーケンスの停止時の最大エンジン駆動モーメントよりも小さい、この定義されたエンジン駆動モーメントにクラッチ接続制御を同様に関連付けることができる。そのために、制御シーケンスの停止時における標準的なクラッチ接続プロセス時間長に関する値よりも大きな値がクラッチ接続プロセス時間長に関して設定され、この値は、場合によっては、車両重量と粘着係数、或いは粘着係数などの前に述べたパラメータに応じて算出される。
【００３３】
それに加えて、有利には、場合によっては依然として回転する車輪が停止状態にまで制動された後、制御シーケンス信号をセットすることによって、駆動輪のブレーキに対して制御シーケンス用ブレーキ圧が加えられる。
【００３４】
そのため、駆動輪が走行路に加える駆動力が、低減されて、制御シーケンスの停止時よりも緩慢に上昇される。
【００３５】
本発明による制御シーケンスに基づかない発進プロセスの持続的に粘着係数を低下させる初期の大きなスリップが防止される。それにも関わらず、粘着係数が低下するような大きなスリップが発生しても、本発明による制御シーケンスに基づかない場合よりも、そのスリップが小さくなるとともに、粘着係数の低下が小さくなる。特に、粘着係数が小さい場合に、並びに、特に、土台として雪又は氷が有る場合に、本発明による制御シーケンスによって、走行路に伝達可能な駆動力が増大する。
【００３６】
そのため、本発明に基づく一つの実現形態がエンジンモーメントを制限するだけで実現可能である。第一の拡張形態は、有利には、クラッチ接続制御を取り込んだ形態である。第二の拡張形態は、有利には、ブレーキ制御を更に取り込んだ形態である。
【００３７】
以下において、幾つかの実行構成に関する添付図面に基づき本発明を詳しく説明する。
【図面の簡単な説明】
【００３８】
【図１】走行路上における本発明の一つの実行構成による走行ダイナミックシステムを備えた車両の模式図
【図２】本発明の一つの実行構成による装置を備えた車両の模式図
【図３】本発明の一つの実行構成による方法のフローチャート図
【図４】粘着係数対スリップ曲線のグラフ
【発明を実施するための形態】
【００３９】
図１では、商用車１が、水平線Ａに対して勾配角度αを有する走行路２上に停車している。そのため、車両１は、停車状態に有り、即ち、走行速度ｖは０であり、更に、駆動されない前車軸Ｖａの車輪３と駆動される後車軸Ｈａの後輪４ａは停止している、即ち、車輪速度ｎ３及びｎ４ａ，ｎ４ｂは０である。走行路２は、例えば、滑る氷又は雪のために、小さい粘着係数（摩擦係数）μを有する。
【００４０】
図４では、横座標にスリップ値ｍｓがプロットされ、縦座標に粘着係数μがプロットされ、その左側の別の座標には、タイヤから伝達可能な車輪力Ｆａ、即ち、制動力及び加速力がプロットされている。そのため、従来の発進プロセスでは、回転する後輪４ａ，４ｂにおいて、標準的な車輪力Ｆａ−１の伝達だけを可能にするスリップｍｓ＝１が発生する。それに対して、本発明によると、この実行構成では、目標スリップｍｓ（Ｆａ，ｍａｘ）において、即ち、停車状態ではなく、幾らかのスリップ時において最大限に伝達可能な力Ｆａが実現され、その後、目標スリップｍｓ（Ｆａ，ｍａｘ）から右において、粘着係数対スリップ曲線の不安定な分岐ＨＳＫＡが始まるが、本発明では、有利には、この分岐を取らない。
【００４１】
商用車１は、エンジンとクラッチ・変速機ユニット６を備えており、その結果、エンジン５、クラッチ・変速機ユニット６及び被動軸９によって、駆動系統が形成され、その系統を介して、後輪４ａ，４ｂが駆動される。この場合、クラッチ・変速機ユニット６は、リンク機構を形成するために投入又は挿入されるとともに、エンジン５から後輪４ａ，４ｂを切り離すために解除されるクラッチ６ａを備えている。
【００４２】
エンジン５は、エンジン制御機器１０によって制御され、それに対応して、クラッチ・変速機ユニット６は、変速機制御機器１１によって駆動される。更に、ブレーキ制御機器１２が配備され、この機器は、ここでは単に示唆されている、商用車のブレーキシステム１３において、様々な課題及び様々な制動制御システムを実現し、この場合、特に、後輪４ａ及び４ｂの後輪ブレーキ１４ａ及び１４ｂを駆動するとともに、二つの後輪４ａ，４ｂにおける車輪回転数センサー１５ａ，１５ｂから車輪速度信号を、ここでは、特に、車輪速度信号ｎ４ａ及びｎ４ｂを受信する。この場合、有利には、能動的な車輪回転数センサー１５ａ，１５ｂを採用することができ、そのため、このセンサーは、単に受動的に後輪４ａ，４ｂと一緒に回転する標識ディスクの磁気信号を検出するのではなく、能動的な信号検出によって、例えば、３ｋｍ／時の非常に遅い走行速度ｖ又はそれに対応する遅い車輪速度においても、より精確に車輪速度を検出する。上記の制御機器１０，１１，１２が走行ダイナミック制御機器１６と一緒に協力して動作することと、これらの制御機器１０，１１，１２により駆動されるシステムとが走行ダイナミックシステム７を構成する。
【００４３】
図２のブロック接続図では、本発明による方法を実行する走行ダイナミック制御機器１６は、別個のユニットとして表示されているが、特に、別の制御機器の中の一つ、特に、ブレーキ制御機器１２に統合することができる。この走行ダイナミック制御機器１６は、発進プロセスを制御する方法を実行し、そのために、様々な実行形態に基づき様々な信号を受信して、様々な制御信号を出力することができる。
【００４４】
一般的に、この走行ダイナミック制御機器１６は、イグニッション又はイグニッション信号Ｓ１により作動されるが、制御シーケンスは開始されない。更に、一つの実行構成では、運転者が能動的に操作し、それによって作動信号Ｓ２を走行ダイナミック制御機器１６に出力して、それにより走行ダイナミック制御機器１６を作動させる操作機器１８を商用車１のダッシュボードに配備することができる。更に、この走行ダイナミック制御機器１６は、アクセルペダル１９の操作時に、アクセルペダル制御機器２０が出力するアクセスペダル信号Ｓ３を受信する。この走行ダイナミック制御機器１６は、更に、車輪速度信号ｎ４ａ，ｎ４ｂも受信して、変速機要求信号Ｓ４を変速機制御機器１１に出力し、それに対応して、エンジンモーメント要求信号Ｓ５をエンジン制御機器１０に出力するとともに、ＡＴＣ要求信号Ｓ６をブレーキ制御機器１２に出力する。
【００４５】
この場合、前記の信号は、特に、車両に統合されたＣＡＮバスを介して伝送することができ、その結果、例えば、車輪速度信号ｎ４ａ，ｎ４ｂは、周知の手法でブレーキ制御機器１２により読み取られて、ＣＡＮバスを介して車両内の別のシステムに提供することができ、そのため、ここでは、走行ダイナミック制御機器１６にも提供することができる。
【００４６】
この場合、走行ダイナミック制御機器１６は、特に、別の制御機器に、特に、ブレーキ制御機器１２に統合することができる。その機器は、更に、例えば、ＦＤＲ制御又はＥＳＰ制御などの別の走行ダイナミック制御を実行する、一般的にブレーキ制御機器及びそれ以外の制御機器に追加して車両に配備された走行ダイナミックコントロール制御機器に統合することができる。
【００４７】
更に、この走行ダイナミック制御機器１６は、有利には、車輪回転数信号ｎ４ａ，ｎ４ｂに追加して、測定された走行速度信号ｖ及び／又は例えば、ブレーキ制御機器１２からＡＢＳ基準速度として提供される走行速度信号ｖも受信し、その結果、その信号から、後輪４ａ及び４ｂのダイナミックな粘着係数μｄも検出することができるか、或いは、場合によっては、信号として、それらの車輪のスリップをＣＡＮバスを介して直に受信することもできる。更に、この走行ダイナミック制御機器１６は、有利には、車両重量ｍと、事前に測定された、或いは、例えば、推定して提供される駆動軸の軸荷重とを受信する。
【００４８】
以下において、走行ダイナミック制御機器１６と上記の構成要素を備えた走行ダイナミックシステム７を用いて、図３のフローチャート図に基づき、発進プロセスを制御する方法を説明する。
【００４９】
工程Ｓｔ１での始動後、次に、工程Ｓｔ２において、特に、イグニッションが作動された場合に、即ち、イグニッション信号Ｓの出現時に、並びに、有利には、例えば、検出された車両状態データを含むことができる判定基準Ｋ１、例えば、
発進プロセスに関する運転者要求が出現することと、
車輪のスリップｍｓが、定義された車輪のスリップ限界値ｍｓ＿ｍａｘよりも大きいことと、
粘着係数μが小さいことと、
から成るグループの中の一つ又は複数を満たす場合にも、本方法が実行される。
【００５０】
そのため、工程Ｓｔ３において、制御シーケンスＲが開始されて、制御シーケンス信号ＳＲがセットされる、即ち、ＳＲ＝１となる。
【００５１】
次に、工程Ｓｔ４以降において、本発明による方法の異なる実行構成が実現可能であり、その際、ブレーキ圧制御を実行することができるが、ブレーキ圧制御を実行しない実行構成も実現可能である。
【００５２】
第一の実行構成では、二つの後輪ブレーキ１４ａ及び１４ｂに関するブレーキ圧Ｐ４ａ及びＰ４ｂを先ずは同じに設定して、工程Ｓｔ４において、最大限に許容されるエンジン駆動モーメントＭ４＿ｍａｘを定義することができる。そして、工程Ｓｔ５において、当初の車輪スリップ（ｍｓ）が増大した場合に、ブレーキ圧が別個に制御される。そのため、この場合、基本的に、駆動される後輪４ａ，４ｂの回転をそれぞれ制動によって別個に制御するＡＳＲ又はトラクションスリップ制御の始動が行なわれる。
【００５３】
しかし、それに代わって、例えば、第一の後輪４ａで、より大きな車輪スリップｍｓが発生した場合に、即ち、ｎ４ａ＞ｎ４ｂの場合に、他方の後輪４ｂにおけるブレーキ圧Ｐを低減することもできる。そのため、それを工程Ｓｔ５で行なうことができる。従って、この場合、均等なスリップ発生を実現するとともに、伝達される駆動力ＦＡを増大させるために、回転する、或いはより大きなスリップを示す後輪（ここでは、４ａ）が制動されるのではなく、他方の後輪４ｂ（ここでは、４ｂ）におけるブレーキ圧Ｐが低減される。それは、特に、左右方向ディファレンシャルロックに対する代替手段として構成することもできる。
【００５４】
各後輪４ａ，４ｂを別個にＡＳＲ制御する実行構成とそれぞれスリップがより小さい方の車輪においてブレーキ圧Ｐを低下させる実行構成のこれら二つの実行構成を組わせることもできる。
【００５５】
一つの実行構成では、工程Ｓｔ６において、例えば、限界走行速度ｖ＿ｔｒｅｓ及び／又は限界粘着係数μ＿ｔｒｅｓなどの限界値に到達した場合に、制御シーケンスが停止されて、制御シーケンス信号ＳＲがリセットされる、即ち、ＳＲ＝０となり、本方法が工程Ｓｔ７において終了するか、さもなければ、本制御が改めて進行する、即ち、この場合、工程Ｓｔ２の前にリターンする。
【００５６】
そのため、有利な実行構成では、本制御が、最大値Ｆａ，ｍａｘの前に、図４の第一の安全な分岐において全体として実行される。即ち、例えば、限界粘着係数μ＿ｔｒｅｓとなるまでの粘着係数及び／又は限界走行速度ｖ＿ｔｒｅｓの到達前において、発進プロセスを実行することができ、それに続いて、発進プロセスの制御シーケンスが終了されて、例えば、従来のＡＳＲ又はＡＴＣによる走行が実行される。そのため、確かに多少緩慢な発進プロセスが実現されて、本制御が最大値Ｆａ，ｍａｘの周囲では実行されず、従って、本発明では、不安定な分岐をとることがなく、そのため、例えば、坂道で、車輪の回転を伴うスリップが発生し得ない形態が保証される。
【符号の説明】
【００５７】
１    車両、特に、商用車
２    走行路
３    前輪
４ａ，４ｂ    駆動される後輪
５    エンジン
６    例えば、自動変速機のためのクラッチ・変速機ユニット
７    走行ダイナミックシステム
９    被動軸
１０    エンジン制御機器
１１    変速機制御機器
１２    ブレーキ制御機器
１３    ブレーキシステム
１４ａ，１４ｂ    駆動される後輪の車輪ブレーキ
１５ａ，１５ｂ    後輪４ａ，４ｂにおける車輪回転数センサー
１６    走行ダイナミック制御機器
１８    操作機器
１９    アクセルペダル
２０    アクセルペダル制御機器
Ｓ１    イグニッション信号
Ｓ２    作動信号
Ｓ３    アクセルペダル信号
Ｓ４    変速機制御要求信号
Ｓ５    エンジンモーメント要求信号
Ｓ６    ＡＴＣ要求信号
α    走行路の勾配、走行路勾配
μ    車輪３，４ａ，４ｂに対する走行路２の静止粘着係数（摩擦係数）
μｄ  車輪３，４ａ，４ｂに対する走行路２の動粘着係数
Ａ    水平線
Ｅ    クラッチ接続プロセス
Ｆａ    駆動力
Ｆａ，ｍａｘ    最大限に伝達可能な力
Ｈａ    後車軸
ＨＳＫＡ    不安定な分岐
Ｋ１    判定基準
ｍｓ    後輪４ａ，４ｂの車輪スリップ
ｍｓ（Ｆａ，ｍａｘ）    目標スリップ
Ｍ４    エンジン駆動モーメント
Ｍ４＿ｍａｘ    最大エンジン駆動モーメント
Ｍ９    出力駆動モーメント
ｎ３    前輪３の車輪速度
ｎ４ａ，ｎ４ｂ    後輪４ａ，４ｂの車輪速度
Ｐ    ブレーキ圧
Ｐ４ａ，Ｐ４ｂ    二つの後輪ブレーキに関するブレーキ圧
Ｒ    制御シーケンス
ＰＲ    制御シーケンス用ブレーキ圧
ＳＲ    制御シーケンス信号
ｔｃ    クラッチ接続プロセス時間長
ｔｃｓ  標準的なクラッチ接続プロセス時間長
ｔ    時間
ｖ    走行速度
Ｖａ    前車軸
ｖ＿ｔｒｅｓ    限界走行速度
μ＿ｔｒｅｓ    限界粘着係数
【図１】
2021504226.tif 000003
【図２】
2021504226.tif 000004
【図３】
2021504226.tif 000005
【図４】
2021504226.tif 000006
【国際調査報告】
2021504226.tif 000007
2021504226.tif 000008
2021504226.tif 000009
2021504226.tif 000010
2021504226.tif 000011